(57)【要約】【課題】  ライト内に位置する光源を区別できないようにし、かつ、光の損失を最小として、同様のモジュールと共に組み立てできるモジュールを提供する。【解決手段】  本発明は、凹状レフレクタ（２）と、上方を照明するようにレフレクタの凹部内に配置された少なくとも１つの光源（Ｓ）と、前記レフレクタおよび光源の前方に位置するレンズ（３）とを備え、頂部面が前記レフレクタからのビームを曲げるように反射性となっている、水平の平坦なプレートに、前記レフレクタを関連づけてあり、前記プレートは、光ビーム内にカットオフを形成できる前方端部エッジを備える、カットオフを有する光ビームを発生する、自動車のライト用照明モジュールであり、前記レフレクタ（２）は、光源（Ｓ）からの球面波面を、前記プレート（４）の平面に位置する円（Ａ）で示される波面に変換するようになっており、前記レンズは、前記プレートの平面と概ね直交し、前記円の円弧の中心（Ｃ）を通過する軸線（Ｚ）を中心とする回転体となっている。【選択図】  図２
2006012838.tif 000002
【特許請求の範囲】
【請求項１】
凹状レフレクタ（２）と、少なくとも上方を照明するように、前記レフレクタ（２）の凹部内に配置された少なくとも１つの光源（Ｓ）と、前記レフレクタ（２）および前記光源（Ｓ）の前方に位置するレンズ（３）とを備え、頂部面が、前記レフレクタからのビームを曲げるように反射性となっている、水平で平坦なプレートに、前記レフレクタが関連づけられており、前記プレートが、光ビーム内にカットオフを形成できる前方端部エッジを備える、カットオフを有する光ビームを発生するようになっている、自動車のライト用照明モジュールにおいて、
前記レフレクタ（２）は、前記光源（Ｓ）からの球面波面を、前記プレート（４）の平面に位置する円（Ａ）の円弧で示される波面に変換するようになっており、前記レンズは、前記プレートの平面と概ね直交し、かつ前記円の円弧の中心（Ｃ）を通過する軸線（Ｚ）を中心とする回転体となっていることを特徴とする、自動車のライト用照明モジュール。
【請求項２】
前記レフレクタ（２）の表面と円の円弧の中心（Ｃ）を通過するが、前記光源から離間した垂直平面（Ｖ）との交点によって形成される曲線（６）に位置するポイント（ｍ１）（ｍ２）で落下する前記光源からの光線（ｉ１）（ｉ２）が、この垂直平面（Ｖ）における前記レフレクタの表面によって反射され、前記垂直平面と円の円弧との交点によって形成されるポイント（Ｐ）で収束するように、前記レフレクタ（２）の表面が形成されていることを特徴とする、請求項１記載の照明モジュール。
【請求項３】
前記レフレクタ（２）が、ビームの水平位置を定め、一方、前記レンズ（３）は、前記レフレクタによって定められた水平の分布を妨害することなく、前記ビームのカットオフおよび垂直の分布を定めていることを特徴とする、請求項１または２記載の照明モジュール。
【請求項４】
前記レフレクタ（２）は、円（Ａ）の円弧の半径（Ｒ）と、前記光源（Ｓ）から円の円弧の中心（Ｃ）までの距離と、前記光源（Ｓ）から円の円弧の平面内の前記レフレクタの頂部（５）までの距離との選択によって、定められていることを特徴とする、請求項１〜３のいずれか１つに記載の照明モジュール。
【請求項５】
前記プレート（４）を通過する前記平面は、前記光源（Ｓ）の概ね中心を通過していることを特徴とする、請求項１〜４のいずれか１つに記載の照明モジュール。
【請求項６】
前記反射プレート（４）は、エッジに円（Ａ）の円弧を有するディスクの一部によって形成されていることを特徴とする、請求項１〜５のいずれか１つに記載の照明モジュール。
【請求項７】
前記光源（Ｓ）は、発光ダイオードから成ることを特徴とする、請求項１〜６のいずれか１つに記載の照明モジュール。
【請求項８】
１つのモジュールのレンズの右側または左側端面を、別のモジュールのレンズの左側または右側端面に置くことにより、特にエッジまたはステップを生じることなく、請求項１〜７のいずれか１つに記載のいくつかのモジュールを組み立てることによって形成したことを特徴とする自動車用ライト。
【請求項９】
同一のモジュール（１Ａ）を並置された状態に組み立てることによって、前記ライト（Ｌ）が得られ、前記モジュールの半径（Ｒ）は無限であり、前記モジュールのレンズ（３ａ）は、別のレンズと直線状となっており、平行な光軸に対して、直交するある種の長方形のバーを形成していることを特徴とする、請求項８記載の自動車用ライト。
【請求項１０】
正の半径（Ｒ）を有するが、その値が一方向に減少するモジュールを組み立てることにより、前記ライト（Ｌｂ）を得ていることを特徴とする、請求項８記載の自動車用ライト。
【請求項１１】
第１モジュール（１ｂ）が無限の半径（Ｒ）を有し、次のモジュール（１ｃ）が、より小さい半径を有し、該モジュール（１ｃ）の中心（Ｃｃ）が前記モジュール（１ｂ）の限界に位置し、前記連続するモジュールの光軸の傾斜は、前記第１モジュール（１ｂ）の光軸に対して徐々に変化し、前記レンズの組立体によって形成される表面が連続的であることを特徴とする、請求項１０記載の自動車用ライト。
【請求項１２】
曲線に従うように、前記モジュールの光源の連続する照明により、ＤＢＬ（ダイナミック曲げライト）を構成していることを特徴とする、請求項１１記載の自動車用ライト。
【請求項１３】
前記ライト（Ｌｃ）は、２つのモジュール（１ｇ）（１ｈ）の少なくとも１つの組立体を備え、前記モジュールの一方（１ｇ）は、正の曲率半径を有し、他方のモジュール（１ｈ）は、前記レンズ（３ｈ）の逆の曲率を有する負の半径を有することを特徴とする、請求項８記載の自動車用ライト。
【発明の詳細な説明】
【技術分野】
【０００１】
本発明は、凹状レフレクタと、少なくとも上方を照明するように、前記レフレクタの凹部内に配置された少なくとも１つの光源と、前記レフレクタおよび前記光源の前方に位置するレンズとを備え、頂部面が前記レフレクタからのビームを曲げるように反射性となっており、水平で平坦なプレートに、前記レフレクタが関連しており、前記プレートが、光ビーム内にカットオフを形成できる前方端部エッジを備える、カットオフを有する光ビームを発生するようになっている、自動車のライト用照明モジュールに関する。
【背景技術】
【０００２】
このような照明モジュールは、例えば欧州特許出願第EP-A-1357334号により公知である。この欧州特許出願は、光軸を中心とする回転体のレンズと結合された楕円ミラーから成るレフレクタを開示している。このレンズを正面から見ると、レンズは、光軸と直角な垂直平面に位置する円形の輪郭を有している。数個のモジュールを、並置された状態に組み立てたい場合、これらの円形レンズは、円形輪郭の間で、使用されない空間とあるポイントで接するようになる。円形輪郭の間に、クサビを挿入することは可能であるが、このようにすると、不要な可視表面を形成するダークエリアが追加されることになる。
【０００３】
変形例として、複数のレンズを分割したり、または正方形または六角形となるようにレンズを拡大し、切断面を接触させることにより、これらレンズを組み立てることも可能である。このようなものの場合、照明表面に損失が生じる。
【発明の開示】
【発明が解決しようとする課題】
【０００４】
このように、モジュールを組み立てることによって製造されるヘッドライトは、複数のボックスが存在しているような印象を与える。従って、ライトを接続することは最適であるだけでなく、観察者は、レンズを通して複数の異なる光源を認識するので、光源が多数存在するとき、特に光源が発光ダイオードから成るときには、このようなことは、スタイルの点で望ましいことではない。
【０００５】
本発明の第１の目的は、ライト内に位置する光源を、区別できないようにし、かつ、光の損失を最小にした状態で、連続的に同様なモジュールと共に組み立てることができるモジュールを提供することにある。
【０００６】
更に、楕円レフレクタを用いた場合、レンズは、スティグマティックとなる。照明ビームのカットオフは、ライトの光軸に沿ってしかシャープとならない。このことは、光源が発光ダイオードから成るモジュールの場合に、より影響を受けやすい。このようなモジュールは、焦点が弱くなり、照明ビームのカットオフのエッジがぼやける。照明ビームが極めて広い場合、幅全体にわたって、シャープなカットオフが生じることはない。
【０００７】
本発明の別の目的は、ビームの幅にわたって、カットオフのシャープさを改善することにある。
【０００８】
従って、本発明の目的は、上記欠点を全く有しないか、またはわずかにしか有しない、上記タイプの照明モジュールを提供することにある。特に本発明は、樽形状をした、歪が最小の三次元状の照明ビームを得ることにある。
【課題を解決するための手段】
【０００９】
本発明によれば、上記タイプの自動車のライト用照明モジュールは、前記レフレクタが、前記光源からの球面波面を前記プレートの平面に位置する円の円弧で示される波面に変換するように定められており、前記レンズは、前記プレートの平面に概ね直交し、前記円の前記円弧の中心を通過する軸線を中心とする回転体となっていることを特徴とする。
【００１０】
本発明に係わるレフレクタおよびレンズは、レフレクタがビームの水平分布を定め、一方、レンズは、レフレクタが定める水平分布を妨害することなく、ビームのカットオフおよび垂直分布を定めるように設計されている。
【００１１】
レフレクタは、円の円弧の半径と、光源から円の円弧の中心までの距離と、円の円弧の平面における光源からレフレクタの頂部までの距離とを選択することによって決定される。
【００１２】
プレートの平面は、実質的に光源の中心を通過することが好ましく、この光源の中心は、実質的に点であることが望ましい。
【００１３】
別の定義によれば、前記レフレクタの表面と、円の円弧の中心を通過するが、前記光源から離間した垂直平面との交点によって形成される曲線に位置するポイントで落下する前記光源からの光線が、この垂直平面における前記レフレクタの表面によって反射され、前記垂直平面と円の円弧との交点によって形成されるポイントで収束するように、前記レフレクタの表面は構成されている。
【００１４】
反射プレートすなわちベンダーは、そのエッジとして、円の円弧を有するディスクの一部から成っていることが好ましい。
【００１５】
また本発明は、上記数個のモジュールの組立体によって形成されたライトにも関する。
【００１６】
本発明は、上記事項とは別に、本発明を限定しない添付図面を参照して、以下に説明する実施例において、明瞭に説明する特定の事項から成っている。
【発明を実施するための最良の形態】
【００１７】
図１には、カットオフを有する光ビームを発生できる、自動車用ライトのための、照明モジュール１が、略図で示されている。このモジュール１は、凹状レフレクタ２と、少なくとも上方を照明するように、レフレクタの凹部内に配置された少なくとも１つの光源Ｓと、光ビームの伝搬方向において、光源Ｓおよびレフレクタ２の前方に位置するレンズ３とを備えている。
【００１８】
レフレクタ２は、図１に示すように、水平で平坦なプレート４と関連している。このプレート４の平面は、光源Ｓの中心を概ね通過することが好ましいが、必ずしも通過しなくてもよい。レフレクタ２は、プレート４の上方に位置し、プレート４の頂部面は、欧州特許出願第EP-A-1357334号に記載されているように、レフレクタ２からの光線ビームを曲げるように光線を反射しうる。
【００１９】
この反射プレート４は、ベンダーとしばしばと称され、照明ビーム内にカットオフを形成することができる前方エンドエッジを備えている。プレート４が水平である時、カットオフは水平となり、ライト１からのビームによって照明されるゾーンは、水平線の下方に位置する。水平線に対して、プレート４の平面またはこのプレートの一部を傾斜させることにより、またレンズを傾斜させることによって、カットオフラインを、水平方向に対して同じ角度だけ傾斜させることが可能となる。
【００２０】
光源Ｓは、半球グローブまたはカプセルを包絡面とする発光ダイオードによって形成された実質的に１点に位置することが好ましい。このダイオードは、平らなプレート４と概ね直交する光拡散軸線を有し、上方を照明する。
【００２１】
本発明によれば、このレフレクタは、光源から来る球状波面をプレート４の平面に位置する円Ａの円弧で示される波面に変換するように定められており、レンズ３は、プレート４の平面と直交し、円Ａの円弧の中心Ｃを通過する軸線Ｚを中心とする回転体となっている。
【００２２】
前に記載した条件を満足する適当なレフレクタ２は、円Ａの円弧の半径Ｒ、光源Ｓから円Ａの円弧の中心Ｃまでの距離、およびＳから円Ａの円弧の平面内のレフレクタの頂部５までの距離Ｆを、所定に選択することによって一義的となる。レフレクタの頂部５は、モジュールの光軸Ｙ−Ｙとレフレクタとの交点に対応し、前記光軸はＣおよびＳを通過する直線と合流している。
【００２３】
光源から来る球状波面は、図２に示すように、ポイントＳまで小さくできる。
【００２４】
レフレクタ２が部分的にしか示されていない図２を参照して、レフレクタ２の特性について説明する。
【００２５】
ポイントＣおよび軸線Ｚを通過し、かつ平面Ｖの外側にある光源Ｓから離間した垂直平面Ｖについて検討する。レフレクタ２と平面Ｖとの交点は、一部が示されている曲線６を構成している。この曲線６上の２つのポイントｍ１およびｍ２は、レフレクタ２の表面上の連続ポイントを構成している。
【００２６】
光源Ｓから生じ、レフレクタ２の内側反射表面に対して、ｍ１およびｍ２でそれぞれ入射する２つの光線ｉ１、ｉ２について検討する。Ｓは、平面Ｖの外側にあるので、光線ｉ１およびｉ２は、平面Ｖ内には位置していない。
【００２７】
上記のようなレフレクタ２を用いると、入射光ｉ１およびｉ２は、垂直平面Ｖ内に双方が位置する半径ｋ１およびｋ２に沿って、入射光線ｉ１およびｉ２が反射される。更に、反射された光線ｋ１およびｋ２は、垂直平面Ｖと円Ａの円弧の交点によって形成されるポイントＰで収束される。
【００２８】
曲線６上の当該ポイントｍがどんなものであれ、更にＣＺを通過する垂直平面Ｖの回転角方向の回転がどうであれ、これらの特性は保持される。
【００２９】
円弧Ａ上の各ポイントＰは、平面Ｖによるカッティングが、時間に比例して半径Ｒが増加する円７となるような波面を生じさせる新しい光源のように作動する。
【００３０】
光源Ｓから、曲線６上の連続ポイントｍ１またはｍ２を通過するポイントＰまでの光路は、次のように一定である。
【数１】
2006012838.tif 000003
【００３１】
レンズ３は、垂直軸線Ｚを中心とする回転容積体を構成している。円Ａの円弧の平面と、レンズ３の入力表面３ｅ１との交点は、円弧Ａと同じであるが、半径がＲよりも大きい中心Ｃを有する円周８の一部によって形成されている。
【００３２】
レフレクタ２によって送り戻される光線ｋ１、ｋ２は、反射プレート４、すなわちベンダーのエッジでＰに入射するので、垂直入射平面Ｖ内に留まりながら、方向ｑ１、ｑ２に戻る。半径ｑ１、ｑ２は、レンズの入力表面３ｅ１において、ｎ１、ｎ２に入射する。ポイントｎ１、ｎ２における表面３Ｅ１への垂線は、光線ｑ１、ｑ２を含む垂直平面Ｖ内に位置する。レンズ内の屈折光線ｔ１、ｔ２は、同じ平面Ｖに留まるだけでなく、光線ｕ１、ｕ２は、レンズの出口面３ＥＳを離間する。
【００３３】
反射プレート４、すなわちベンダーは、そのエッジとして、円周Ａの円弧を有するディスクの一部によって形成されている。この反射プレートは、レフレクタ２を形成する凹状ミラーの下方に延びており、光源Ｓに対する限度９（図３）は、光源Ｓから生じる光の通過の実際的な検討事項だけに応じて決まる。この限度９は、例えば凹部が中心Ｃに向いた角度の２つの辺によって形成されており、この角度は、その二等分面として、光軸ＣＳを通過する垂直平面を有する。
【００３４】
光源Ｓは、頂部半球面において、上方に発光する発光ダイオードから成っていることが好ましい。
【００３５】
実際に、光源Ｓはあるポイントでは完全ではなく、（光源ＳとＰの近傍との間には示されていない）光線は、エッジＡを超えてシフトし、光線が遭遇しないプレート４によって曲げられることなく、ｑ’１、ｑ’２上で直線上の光路に従う。
【００３６】
図４は、垂直軸線Ｚを通過する平面、およびポイントａにおいて円Ａの円弧をカットする光軸ＣＳを通るレンズ３の断面である。
【００３７】
図４の断面におけるレンズの入力面の曲線Ｅ１は、カットオフのシャープさに影響を与える。この曲線Ｅ１は、照明ビームのカットオフがシャープになり、ブロードなビームに対してさえも、最良に可能となるように選択されている。この曲線Ｅ１は、光源Ｓと中心Ｃとを接合する直線上に中心が位置する円周の一部によって形成されることが好ましい。この円周部分Ｇ１は、その凸部を、内側、すなわち図４に示すような中心Ｃに向けている。曲線Ｅ１の両端は、より顕著に曲げることができる。
【００３８】
レンズの断面は、ほぼ紙の帽子の形状、すなわち、中心に丸い突起を有する形状の曲線Ｅ１によって、外側に向かって制限されており、この突起の凸部は、外側を向き、この突起の各側面は、外側を向く凹部となる屈曲領域として延びている。
【００３９】
図４には、ポイントａから発生される光線ｑ３の光路が示されている。
【００４０】
光軸ＣＳを通過する垂直平面に対して対称的なレフレクタ２のΩ（図２）は、円Ａの円弧とプレート４の平面におけるレフレクタ２との交点に、ポイントＣを接合する直線の間に形成される角度によって決定される最大値を有する。
【００４１】
このモジュールから生じる光ビームの幅は、主にこの立体角Ωによって決まるだけでなく、他のパラメータ、特に画像のサイズへの影響により光源の頂点の距離によっても決まる。
【００４２】
円Ａの円弧の半径Ｒが無限となる傾向があるとき、レンズ３は、円筒形レンズに向き、ビーム（他のすべてのことは等しい）は光源および見かけの表面の輝度によって可能となる最大強度スポットに向く。このことは、光学的には楕円と無限ポイントのスティグマティックレンズとの組み合わせに効果的であるが、本発明の分野では、収差が小さくなっている。
【００４３】
曲線Ｅ１に対する所定の円周の一部の特定の例は、本発明を制限するものではなく、Ｅ１は任意の曲線でよい。
【００４４】
出口面の曲線ＥＳは、当該平面（回転軸線ＣＺを通過する平面）において、レンズ３は、ポイントａと無限との間でスティグマティックとなるように製造されている。換言すれば、ポイントａから発生する光線の発散ビームは、曲線ＥＳからの出口において、光軸ＣＳに平行なビームとなる。
【００４５】
ポイントａと光軸ＣＳの曲線Ｅ１の頂点との間の距離は、パラメータであり、この距離は、レンズの絞り（深さと直径の比）Ｔと称される。所定のレフレクタ２に対し、レンズの高さＨは、すべての可能な光フラックスを回収するように製造されているという仮定に基づいている。
【００４６】
図１〜図４の実施例によれば、円Ａの円弧の中心Ｃは、モジュールから発生する光ビームの伝搬方向に沿った光源Ｓの後方に位置している。この場合、円Ａの円弧によって形成されるベンダー４のエッジの曲率は、その複合部を光ビームの伝搬方向の前方に向ける。
【００４７】
円Ａ１の円弧の中心Ｃ１（図８）が、ビームの伝搬方向において光源Ｓ１を超えて位置する場合、ベンダーのエッジＡ１の曲率は、その符号を変え、凹部を前方に向けることにより、これまでのすべての説明が当てはまる。
【００４８】
レンズ３の端面３Ｌｄ、３Ｌｇ（図１）は、平面状であり、立体角ΩでＣＺを通過する端部平面内に位置している。
【００４９】
モジュールのレンズの右側端面または左側端面を、別のモジュールの左側端面または右側端面に当接させるよう、エッジまたはステップを生じることなく、数個のモジュールを組み立てることが可能である。
【００５０】
図５は、同じモジュール１ａ、例えば３つのモジュールを、並置された状態に組み立てることによって、ライトＬを製造する方法を示している。この場合、円の円弧が直線状セグメントとなるように、モジュールに対する半径Ｒは、無限となっている。各モジュールのレンズ３ａは、矢印が示す平行な光軸に対して直交するある種の直線バーを形成するように、互いに直線状となっている。
【００５１】
図６は、この図内の右から左への方向に値が減少する正の半径Ｒ（図１〜図４）を有するいくつかのモジュールを組み立てることによって得られるライトＬｂの図である。
【００５２】
第１モジュール１ｂは、無限の半径Ｒを有し、次のモジュール１ｃは、これよりも小さい半径Ｒを有し、このモジュールの中心Ｃｃは、モジュール１ｂの限界（実施例内の左）に位置する、等々である。
【００５３】
次のモジュール１ｄは、モジュール１ｃの半径よりも小さい半径Ｒを有し、モジュール１ｄの中心Ｃｄは、モジュール１ｃの左側の回転角方向の限界に位置する。
【００５４】
最後に、端部モジュール１ｅは、最も小さい半径Ｒを有し、その中心Ｃｅは、モジュール１ｄは左側の回転角方向の限界に位置する。行によって示される連続するモジュールの光軸は、最初のモジュール１ｂの光軸に対して傾斜が徐々に変化している。
【００５５】
レンズ３ｂ、３ｃ、３ｄ、３ｅの組立体によって形成される表面は、連続的であり、かつ二次的である。
【００５６】
図６のライトＬｂは、曲線に従うように、モジュール１ｂ〜１ｅの光源の連続照明を有するＤＢＬ（ダイナミック曲げライト）を構成しうる。
【００５７】
図７は、３つのモジュール１ｆ、１ｇ、１ｈを組み立てることによって得られる別のタイプのライトＬｃを示す。２つのサイドモジュール１ｆ、１ｇは、図１〜図４内の実施例の趣旨内の正の曲率半径を有するが、中間のモジュール１ｈは、レンズ３ｈの逆の曲率を生じさせる負の半径Ｒを有する。レンズの組立体によって形成される曲線は波形となっている。図７の３つのモジュールの光軸は、矢印が示すように平行である。
【００５８】
図８は、２つの並置されたモジュール１ｇ〜１ｈの少なくとも１つの組立体を備えるライトの平面略図である。モジュール１ｇは、正の曲率半径を有し、他のモジュール１ｈは、レンズ３ｈの逆の曲率を有する負の曲率半径を有する。レフレクタ２ｇ、２ｈおよびベンダー４ｇ、４ｈは、既に略図として示されている。モジュール１ｇのための円Ａの円弧は、図中の左のＣに中心を有し、円Ａ１の凹状円弧は、図８内の右にあるＣ１に中心を有する。図８の組立体は、並置により数回繰り返すことのできる基本パターンを構成している。
【００５９】
出口面が凹状となっているレンズ３ｈは、スポットを形成する。すなわち、光ビームの集中ゾーンを形成するが、前方に向かって凸状となっているレンズ３ｇは、図７内のレンズ３ｆのように、横方向に広がったパターンを形成する。
【００６０】
従って、本発明に係わる照明モジュールは、オリジナルなスタイルの効果を生じさせ、複数のモジュールの設置を補助できる複雑な関係とすることができる。
【００６１】
観察者が、本発明に係わるモジュールすなわちライトを見るとき、観察者は、並置されたモジュール、すなわち光源、特にモジュール内に位置する発光ダイオードを区別できない。従って、観察者は、単一の組立体であるかのような印象を持つ。
【００６２】
図９は、無限の半径Ｒを有する、本発明に係わるモジュールからの所定の距離にあるスクリーンで得られる等照度の曲線のネットワークを示す。これらの曲線は、すべて、特にシャープな水平のカットオフラインよりも下方に位置している。
【００６３】
図１０は、図１〜図４に示されているような凹状照明モジュール、または図７内のモジュール１ｆ、１ｇのような照明モジュールと対応している。カットオフはシャープであり、すべての曲線の水平線よりも下方に位置している。垂直中心平面の各側において、光束は下方にやや大きく広がる。
【００６４】
図１１は、図７および図８内のモジュール１ｈのような、負の半径Ｒを有するモジュールで得られる等照度曲線を示す。このカットオフのシャープさは保存され、等照度は、図１０内よりも回転角方向に若干小さく広がる。
【００６５】
照明モジュールが、本発明に従っているかどうかをチェックするには、ポイントＳに点光源を置けばよい。この点光源は、サイズが極めて小さいレーザーポイントまたはダイオードによって形成できる。これは、チェックのケースであるので、より大きい寸法の電源を使用する必要はない。
【００６６】
反射プレート４に（またはその代わりに）１枚の紙を載せることにより、円弧Ａに対応する円の連続円弧を、紙のシート上に生じることを見ることができるはずである。
【００６７】
レンズ３に関するチェックをするために、ａで収束するライトの垂直シャフトを製造する。次に、レンズの別の側において、垂直ライトセグメントを得る必要がある。
【００６８】
球面座標の下方で、レフレクタ２の表面の式が示される。
【００６９】
ｆは、光源Ｓからレフレクタの頂部５（疑似焦点）までの距離である。Ｓに基準フレームの原点を置き、ｙ軸をＣＳとし、ｘ軸をプレート４の平面に位置させ、ｙ軸に直交させる。ｚ軸をプレート４の平面に直交させ、ポイントＳを通過させる。
【００７０】
基準フレーム内の中心Ｃの座標は、ｘ、ｙおよびｚ軸に沿ってそれぞれＣｘ、Ｃｙおよび０となる。
【００７１】
レフレクタの表面２の連続ポイントｍは、経度θおよび緯度φによって定められる方向に位置する。ポイントｍのベクトル半径の絶対値は、μで示される。
【００７２】
次の計算式において、α、βおよびχは中間的変数である。
【００７３】
【数２】
2006012838.tif 000004
【００７４】
ここで、φおよびθは、表面のパラメータ方程式の変数である。
【００７５】
【数３】
2006012838.tif 000005
【００７６】
とすると、
【００７７】
【数４】
2006012838.tif 000006
【００７８】
は、求めるレフレクタの表面に属する。
レンズの出口面の曲線ＥＳは、レンズの入口面が内側に向かって凹状の円を曲線Ｅ１として有するとき、レンズの出口面の曲線ＥＳの式が得られる。
【００７９】
次を挿入する。
Ｔ＝ｄ（ａ、Ｅｌ）、レンズの絞り
Ｃｆｅ、入口面の半径
ＥＰＯ；レンズの中心における厚み
ｎ；材料の屈折率
ηおよびα；表面のパラメータ方程式の変数である。
【００８０】
【数５】
2006012838.tif 000007
【００８１】
とすると、
【００８２】
【数６】
2006012838.tif 000008
【００８３】
は、レンズの出口表面に属する。
【図面の簡単な説明】
【００８４】
【図１】本発明に係わるモジュールの斜視略図である。
【図２】光線の光路を示す、本発明に係わるモジュールの一部を切り欠きした別の角度の拡大斜視図である。
【図３】主にベンダーを示す別のスケールの斜視略図である。
【図４】レンズの断面を示す光軸を通過する垂直断面略図である。
【図５】平行な光軸を有する３つの並置されたモジュールを備えるライトの平面略図である。
【図６】光軸が漸次傾斜した４つの並置されたモジュールを備えるライトの平面略図である。
【図７】中心モジュールのレンズが横方向レンズの曲率に逆方向の曲率を有する、平行な光軸を有する３つの並置されたモジュールを備えるライトの平面略図である。
【図８】逆方向の曲率を有する２つの並置されたモジュールの平面図である。
【図９】円弧の半径が無限である場合の、本発明に係わるモジュールによって得られる等照度曲線のネットワークを示す図である。
【図１０】本発明に係わる凸状モジュールで得られた等照度曲線のネットワークを示す図である。
【図１１】本発明に係わる凸状モジュールで得られた等照度曲線のネットワークを示す図である。
【符号の説明】
【００８５】
１    照明モジュール
２    凸状レフレクタ
３    レンズ
４    平坦なプレート
６    曲線
７    円
Ｓ    光源
【図１】
2006012838.tif 000009
【図２】
2006012838.tif 000010
【図３】
2006012838.tif 000011
【図４】
2006012838.tif 000012
【図５】
2006012838.tif 000013
【図６】
2006012838.tif 000014
【図７】
2006012838.tif 000015
【図８】
2006012838.tif 000016
【図９】
2006012838.tif 000017
【図１０】
2006012838.tif 000018
【図１１】
2006012838.tif 000019
【外国語明細書】
2006012838000001.pdf